(57)【要約】      （修正有）【課題】天板にコンセントを収納した状態で見映えよく取り付けることができる家具のコンセント配置構造を提供する。【解決手段】家具１の略水平な天板２の上面に開口する矩形凹部２Ａを形成し、該矩形凹部２Ａの周縁の４つの縦壁２ａ〜２ｄの少なくとも１つ２ａにコンセント３と取り付けるとともに、矩形凹部２Ａの開口部を矩形プレート状のカバー４で覆い、該カバー４と天板２の各上面同士を面一とする。また、天板２の矩形凹部２Ａとカバー４の相対向する一対の各端縁との間にスリット状の隙間を形成する。ここで、カバー４の隙間を形成する端縁の下面に、隙間に向かって厚さが薄くなるように傾斜するテーパ面４ａを形成する。さらに、天板２の矩形開口部２Ａの底部に底板７を設け、該底板７と縦壁２ｂの相対向する一対の各端縁との間にスリット状の隙間δ２を形成する。【選択図】図３
0003224055.tif 000002
【実用新案登録請求の範囲】
【請求項１】
家具の略水平な天板の上面に開口する矩形凹部を形成し、該矩形凹部の周縁の４つの縦壁の少なくとも１つにコンセントと取り付けるとともに、前記矩形凹部の開口部を矩形プレート状のカバーで覆い、該カバーと前記天板の各上面同士を面一としたことを特徴とする家具のコンセント配置構造。
【請求項２】
前記天板の矩形凹部と前記カバーの相対向する一対の各端縁との間にスリット状の隙間を形成した請求項１に記載の家具のコンセント配置構造。
【請求項３】
前記カバーの前記隙間を形成する端縁の下面に、前記隙間に向かって厚さが薄くなるように傾斜するテーパ面を形成した請求項２に記載の家具のコンセント配置構造。
【請求項４】
前記天板の矩形凹部の底部に底板を設け、該底板と前記縦壁の相対向する一対の各端縁との間にスリット状の隙間を形成した請求項１〜３の何れかに記載の家具のコンセント配置構造。
【請求項５】
前記天板と矩形凹部と前記カバーは、共に木製である請求項１〜４の何れかに記載の家具のコンセント配置構造。
【考案の詳細な説明】
【技術分野】
【０００１】
本考案は、主として木製家具の天板に、電源コードや情報コード等を接続するためのコンセントを、使い勝手が良好でしかも見映えよく設置できる、特に木製家具に好適なコンセントの配置構造に関する。
【背景技術】
【０００２】
一般に家具の天板上で、例えばパソコン（パーソナルコンピュータ）などのＯＡ機器を使用する場合、ＯＡ機器から延びる電源コードはその先端のプラグをコンセントに差し込む必要がある。このような場合、家具の天板にコンセントが設けられていると、延長コードなどを要することなく電源コードのプラグをコンセントに差し込むことができて便利である。
【０００３】
しかし、コンセントを家具にそのまま取り付けると、コンセントとプラグおよび電源コード等のコードが外部に露出するため、見映えが良くなく、家具の外観性も損なわれるという問題がある。
【０００４】
そこで、例えば特許文献１には、家具のコンセント配置に関する提案がなされている。すなわち、特許文献１には、家具の天板の背端に、上面と背面に開口する取付穴を設け、この取付穴内にコンセントを収納して取着し、取付穴の背面をカバーで覆うとともに、コンセントのプラグ受が位置する取付穴の上面開口に開閉自在な蓋を設ける構成が提案されている。
【先行技術文献】
【特許文献】
【０００５】
【特許文献１】実開昭６０−１３０７４１号公報
【考案の概要】
【考案が解決しようとする課題】
【０００６】
しかしながら、特許文献１において提案された家具のコンセント取付構造においては、コンセントが蓋によって覆われるために該コンセントが外部に直接露出することはないが、水平な天板の一部に蓋が凸状に突出するため、外観性が悪いという問題がある。また、ＡＣ／ＤＣ変換器がコードの途中に設けられた電源コードでは、前記ＡＣ／ＤＣ変換器が天板の上に露出するため見映えも良くなく邪魔にもなるという問題がある。さらには家具が木製である場合、蓋が木製以外の金属製や樹脂製である場合には、木製家具の質感を損なう。
【０００７】
本考案は、上記問題に鑑みてなされたもので、その目的は、天板の下にコンセントを収納した状態で使い勝手が良好で見映えも良い特に木製家具に好適なコンセントの配置構造を提供することにある。
【課題を解決するための手段】
【０００８】
上記目的を達成するため、本考案は、家具の略水平な天板の上面に開口する矩形凹部を形成し、該矩形凹部の周縁の４つの縦壁の少なくとも１つにコンセントと取り付けるとともに、前記矩形凹部の開口部を矩形プレート状のカバーで覆い、該カバーと前記天板の各上面同士を面一としたことを特徴とする。
【０００９】
本考案によれば、天板の上面に開口する矩形凹部（平面視略箱枠状の凹部）の周縁の縦壁にコンセントを取り付け、矩形凹部をカバーで覆ったため、コンセントが矩形凹部内に収容されて外部に露出することがなく、家具の外観性がコンセントによって損なわれることがない。そして、カバーと天板の各上面同士は面一（同一平面）となるため、天板上に突出するものがなく、家具の元の外観性が保持される。
【００１０】
また、コンセントを縦壁に取り付けたため、コンセントにゴミや綿埃が溜まったり、こぼれた飲み物等の液体がコンセントに付着することがなく、ゴミや埃、液体などに起因するコンセントの電気的障害や機械的障害が発生することがない。また、コンセント周辺の煩雑な清掃が不要となるためにメンテナンス性が高められる。そして、縦壁に垂直向きに取り付けられたコンセントにプラグを水平方向から差し込むこととなるため、このプラグの差し込みが自然な動作となって作業性が改善される。
【００１１】
上記のコンセント配置構造において、前記天板の矩形凹部と前記カバーの相対向する一対の各端縁との間にスリット状の隙間を形成してもよい。
【００１２】
上記スリット状の隙間を備えた構成では、天板の矩形凹部をカバーで覆った状態においても、コンセントに差し込まれたプラグに連なる電源コード等のコードをスリット状の隙間から天板上に取り出すことができる。
【００１３】
また、前記家具のコンセント配置構造において、前記カバーのスリット状の隙間を形成する端縁近傍の下面を、前記隙間に向かって厚さが徐々に薄くなる傾斜面に形成してもよい。
【００１４】
上記傾斜面の構成によれば、スリット状の隙間から指を差し込んでカバーを開ける際、カバーの端縁の厚さの薄い部分に指を掛け易くなるために該カバーを容易に開けることができる。
【００１５】
さらに、前記家具のコンセント配置構造において、前記天板の矩形凹部の底部に底板を設け、該底板と前記縦壁の相対向する一対の各端縁との間にスリット状の隙間を形成してもよい。
【００１６】
上記底板に設ける隙間の構成によれば、電源コード等のコードが必要以上に長い場合、そのコードの余分な部分を前記底板の隙間から下方に垂らし、必要な部分のみを天板上に開口する隙間から引き出すことができるため、天板上に余分な電源コード等のコードが露出することがない。このため、コンセントに接続する電源コード等のコードによって家具の外観性や天板上での作業性が損なわれることがない。
【００１７】
また、本考案の家具のコンセント配置構造において、前記天板と前記カバーは、共に木製であってもよい。
【００１８】
本考案を適用する家具が木製であると、天板とカバーとが、金属やプラスチックとは異なる手触り感が良好な同材質の木製であるため、木製家具の高い質感を保持できる。
【考案の効果】
【００１９】
本考案によれば、家具の天板の内部側にコンセントを収納した状態で見映えよく使い勝手も良好に配置することができる。
【図面の簡単な説明】
【００２０】
【図１】本考案に係るコンセント配置構造の一例を備える家具の天板要部の斜視図である。
【図２】図１のＡ−Ａ線断面拡大図である。
【図３】本考案に係るコンセント配置構造を備える家具のカバーを開けた状態を示す天板要部の斜視図である。
【図４】天板上でパソコンを使用している状態を示す部分斜視図である。
【図５】本考案の別の実施形態のコンセント配置構造を備える家具のカバーを開けた状態を示す天板要部の斜視図である。
【考案を実施するための形態】
【００２１】
以下に本考案の実施の形態を添付図面に基づいて説明する。
【００２２】
図１は本考案に係るコンセント配置構造を備える家具の天板要部の斜視図、図２は図１のＡ−Ａ線断面拡大図、図３は本考案に係るコンセント配置構造を備える家具のカバーを開けた状態を示す天板要部の斜視図、図４は天板上でパソコンを使用している状態を示す部分斜視図、図５は別の実施形態のコンセント配置構造を備える家具のカバーを開けた状態を示す天板要部の斜視図である。
【００２３】
図示の家具１は、木製家具であって、その略水平な木製の天板２の上面には、図３に示すように、上面が開放された長方形の矩形凹部２Ａが形成されている。そして、図２および図３に示すように、矩形凹部２Ａの周縁の４つの縦壁２ａ，２ｂ，２ｃ，２ｄのうちの１つ（奥側）の縦壁２ａには、左右方向に３つのコンセント３が縦方向に起立状態で垂直に取り付けられている。なお、コンセント３は、縦壁２ａ〜２ｄの何れに取り付けてもよく、その個数も任意である。また矩形凹部２Ａの平面形状は、前記長方形以外の矩形、その他の多角形、長円を含む円形とすることができる。その場合の凹部の周縁は前記縦壁２ａと同じ縦壁を備えている。
【００２４】
また、天板２の表面に開口する矩形凹部２Ａの開口部は、図１及び図２に示すように、該矩形凹部２Ａの開口形状と同じ形状（長方形）を有する矩形プレート状のカバー４によって覆われている。なお、本実施の形態では、カバー４は、木製であって、天板２と同じ材質によって構成されている。凹部の平面形状が長方形以外の平面形状であるときは、カバー４の形状も開口部と同じ長方形以外の平面形状のものである。
【００２５】
ここで、図３に示すように、天板２の矩形凹部２Ａに臨む左右の縦壁２ｃ，２ｄの内面には、矩形プレート状の受け部材５が接着等の固定手段によって取り付けられており、カバー４は、天板２の矩形凹部２Ａを上方から覆うように被せることによって左右の受け部材５によって水平姿勢に支持されて矩形凹部２Ａを上方から覆う。
【００２６】
このように天板２の矩形凹部２Ａがカバー４によって覆われた状態では、天板２とカバー４の各上面は、面一（同一平面）となり、天板２の上面には突起物が一切存在しない。なお、図３に示すように、カバー４を天板２の矩形凹部２Ａに被せた状態において、該カバー４の下面の左右両端部（左右の受け部材５に当接する部分）に衝撃吸収性の高いゴム製或いは樹脂製の突起６を取り付けると、カバー４を天板２の矩形凹部２Ａに被せるときの衝撃が吸収され、衝撃音の発生も抑制される。
【００２７】
ところで、本実施の形態では、図１および図２に示すように、天板２の矩形凹部２Ａをカバー４で覆った状態において、該カバー４の長辺側の端縁とこの端縁に対向する天板２の矩形凹部２Ａの端縁との間には、左右方向（図２の紙面垂直方向）に長いスリット状の隙間δ１が形成されている。なお、この隙間δ１の大きさは、後述の電源コード１１の太さ（外径）よりも若干大きく設定されている。
【００２８】
そして、カバー４の隙間δ１を形成する図１の手前側（図２の左端側）の端縁の下面には、図２及び図３に示すように、隙間δ１に向かって厚さが薄くなるように傾斜する傾斜面４ａ（テーパ面４ａ）が左右方向（長手方向）に沿って所定幅で形成されている。
【００２９】
また、図２及び図３に示すように、天板２の矩形凹部２Ａの底部には、木製の矩形プレート状の底板７が水平に設けられており、この底板７の長辺側の端縁とこの端縁に対向する天板２の縦壁２ｂとの間には、左右方向（図２の紙面垂直方向）に長いスリット状の隙間δ２が形成されている。なお、この隙間δ２の大きさは、カバー４と天板２の矩形凹部２Ａの各端縁間に形成された前記隙間δ１の大きさよりも大きく、隙間δ２＞隙間δ１の関係で設定されている。
【００３０】
以上において、例えば図４に示すように、天板２上にパソコン１０を設置してこれを使用する場合には、図３に示すように、該パソコン１０から延びる電源コート１１の先端に取り付けられたプラグ１２をコンセント３に差し込む必要があるが、このプラグ１２のコンセント３への差し込みは次の要領でなされる。
【００３１】
すなわち、図１及び図２に示すように、天板２の矩形凹部２Ａがカバー４によって覆われている状態から、矩形凹部２Ａとカバー４によって形成されたスリット状の隙間δ１に指を差し込んでカバー４を図３に示すように開ける。そうすると、天板２の矩形凹部２Ａが開口するため、電源コード１１の先端に取り付けられているＡＣ／ＤＣ変換器と一体のプラグ１２を天板２の縦壁２ａに取り付けられたコンセント３に差し込むことができる。
【００３２】
ここで、スリット状の隙間δ１から指を差し込んでカバー４を開ける際、カバー４の端縁のテーパ面４ａによって厚さが薄くなっている部分に指を掛け易くなるために該カバー４を容易に開けることができる。このようにしてカバー４が開けられると、天板２の縦壁２ａに垂直に取り付けられたコンセント３にプラグ１２を水平方向から差し込むことができるが、このプラグ１２の差し込みが自然な動作となるために作業性が改善される。
【００３３】
なお、電源コード１１が必要以上に長い場合には、図２及び図３に示すように、この電源コード１１の余分な部分を底板７と縦壁２ｂとの間に形成された隙間δ２から下に垂らし、電源コード１１の必要な部分のみを天板２上に開口する隙間δ１から引き出すことができるため、天板２上に余分な電源コード１１が露出することがない。このため、電源コード１１によって家具１の外観性や天板２上での作業性が損なわれることがない。
【００３４】
以上の要領でプラグ１２をコンセント３に差し込んだ後、図１及び図２に示すように、天板２の矩形凹部２Ａをカバー４で覆い、該カバー４と天板２の矩形凹部２Ａの相対向する端縁間に形成されたスリット状の隙間δ１から電源コード１１を引き出せば、一連の作業が終了する。
【００３５】
以上のように、本考案によれば、天板２の上面に開口する矩形凹部２Ａの周縁の縦壁２ａにコンセント３を取り付け、矩形凹部２Ａをカバー４で覆ったため、コンセント３が矩形凹部２Ａ内に収容されて外部に露出することがなく、家具１の外観性がコンセント３によって損なわれることがない。そして、カバー４と天板２の各上面同士は面一（同一平面）となるため、天板２上に突出するものがなく、家具１の外観性がさらに高められる。また、本実施の形態においては、天板２とカバー４を共に格調の高い木製としたため、家具１の質感が高められる。
【００３６】
特に、本考案においては、コンセント３を天板２の縦壁２ａに垂直に取り付けたため、コンセント３にゴミや埃が溜まったり、こぼれた飲み物がコンセント３に付着することがなく、ゴミや埃などに起因するコンセント３の電気的な障害が発生することがない。また、コンセント３の周辺の頻繁な清掃が不要となるためにメンテナンス性が高められる。
【００３７】
また、本考案によれば、天板２の矩形凹部２Ａとカバー４の相対向する一対の各端縁との間にスリット状の隙間δ１を形成したため、天板２の矩形凹部２Ａをカバー４で覆った状態においても、コンセント３に差し込まれたプラグ１２に連なる電源コード１１を図１に示すようにスリット状の隙間δ１から取り出すことができる。
【００３８】
以上の実施の形態では、カバー４を受ける左右の受け部材５を天板２とは別体とし、これらの受け部材５を天板２の矩形凹部２Ａに臨む左右の縦壁２ｃ，２ｄの内面に接着等によって取り付ける構成を採用したが、図５に示すように、天板２の矩形凹部２Ａに臨む左右に、カバー４の左右を受けるための段凹部２ｅを天板２に一体に形成する構成を採用してもよい。
【００３９】
以上の説明はパソコンを天板上で使用する場合を例として説明したが、パソコン以外のＯＡ機器の他、照明器具等の他の任意の電気機器を天板上で使用する場合においても本考案を同様に適用することができることは勿論である。
【００４０】
なお、本考案は、以上説明した実施の形態に適用が限定されるものではなく、実用新案登録請求の範囲および明細書と図面に記載された技術的思想の範囲内で種々の変形が可能である。
【符号の説明】
【００４１】
１          家具
２          天板
２Ａ        天板の矩形凹部
２ａ〜２ｄ  天板の縦壁
３          コンセント
４          カバー
４ａ        カバーのテーパ面
５          受け部材
６          突起
７          底板
１０        パソコン
１１        電源コード
１２        プラグ
δ１，δ２  隙間
【図１】
0003224055.tif 000003
【図２】
0003224055.tif 000004
【図３】
0003224055.tif 000005
【図４】
0003224055.tif 000006
【図５】
0003224055.tif 000007